(57)【要約】    【課題】  プリント用紙が通過するドットヘッドとプラテンヘッドとの間の隙間の調整が容易に行なえる印字装置を提供する。  【解決手段】印字ワイヤを備えたドットヘッドと、このドットヘッドと所定間隔開けて対向状に配置されるプラテンヘッドと、印字ワイヤを動作させる作動装置が備えられ、プリント処理装置で作成されるプリントの裏面に各種情報を印字するための印字装置において、ドットヘッド及び作動装置は1つのユニットに構成され、この印字ユニットはプリント処理装置の機体側に固定される一方、プラテンヘッドは、位置調整機構を介して前記機体側に取り付けられ、位置調整機構は、プラテンヘッドを保持するためのプラテンヘッドホルダーと、プラテンヘッドホルダーをドットヘッドに対して螺進または螺退させるための操作体とから構成され、操作体の回転操作によるプラテンヘッドホルダーのドットヘッドに対する螺進または螺退により、プラテンヘッドとドットヘッドとの間の隙間を調整するようにしていることを特徴とするものである。  【選択図】  図５
2006056050.tif 000002
【特許請求の範囲】
【請求項１】
印字ワイヤを備えたドットヘッドと、このドットヘッドと所定間隔開けて対向状に配置されるプラテンヘッドと、印字ワイヤを動作させる作動装置が備えられ、プリント処理装置で作成されるプリントの裏面に各種情報を印字するための印字装置において、ドットヘッドを内包した印字ユニットはプリント処理装置の機体側に固定される一方、プラテンヘッドは、位置調整機構を介して前記機体側に取り付けられて、位置調整機構によるプラテンヘッドの位置調整により、プラテンヘッドとドットヘッドとの間の隙間を調整するようにしていることを特徴とする印字装置。
【請求項２】
位置調整機構が、プラテンヘッドを保持するためのプラテンヘッドホルダーと、プラテンヘッドホルダーをドットヘッドに対して螺進または螺退させるための操作体とから構成され、操作体の操作によるプラテンヘッドホルダーのドットヘッドに対する螺進または螺退により、プラテンヘッドとドットヘッドとの間の隙間を調整するようにしていることを特徴とする請求項１に記載の印字装置。
【請求項３】
操作体の弛みを阻止するための弛み規制体が備えられていることを特徴とする請求項２に記載の印字装置。
【発明の詳細な説明】
【技術分野】
【０００１】
本発明はプリント用紙に画像などをプリントするのに用いる主としてインクジェット式のプリント処理装置に搭載されて、プリント用紙の裏面に各種情報を印字するための印字装置に関する。
【背景技術】
【０００２】
例えばインクジェット式のプリント処理装置は、キャリッジに搭載されて主走査方向に移動するプリントヘッド、副走査方向にプリント用紙を搬送させる搬送装置、プリント用紙の裏面にオーダー番号などの各種情報を印字するための印字装置などが搭載され、画像データに基づいて、プリントヘッドの吐出ノズルからインク滴を吐出させることで、プリント用紙の表面に画像をプリント処理すると共に、印字装置によりプリント用紙の裏面にオーダー番号などを印字するようにしている。
【０００３】
また以上のプリント処理装置に搭載される印字装置は、印字ワイヤを備えたドットヘッドと、このドットヘッドと所定間隔開けて対向状に配置されるプラテンヘッドと、リボンが装填されたリボンカセットと、印字ワイヤを動作させる作動装置などが備えられ、プラテンヘッドを機体側のペーパ搬送ユニットに固定する一方、ドットヘッド、リボンカセット、作動装置をケースに組み込んだ1つのユニットに別途構成して、この印字ユニットの四隅をペーパ搬送ユニットにそれぞれボルト止めして、ドットヘッドをプラテンヘッドに対して所定間隔開けて対向させるようにしている。
【０００４】
そしてこの印字装置では、ドットヘッドとプラテンヘッドとの隙間を通過するプリント用紙の裏面に駆動機構による印字ワイヤの動作で、インクを染み込ませたリボンを介して印字するようにしている。（特許文献１参照）
【特許文献１】特開２００４−２５６９５号
【０００５】
ところで以上の印字装置では、プリント用紙が通過するドットヘッドとプラテンヘッドとの間隔を適正に調整するために、従来は、印字ユニットの四隅を止める各ボルトの締め付け量を適宜調整することで、ペーパー搬送ユニットに対する印字ユニットの取り付け位置を調整して、ドットヘッドとプラテンヘッドとの間隔を適正に調整するようにしているが、以上の調整方法では、複数のボルトを操作する必要があり、しかも複数のボルトの操作如何によっては、ドットヘッドがプラテンヘッドに対して傾いてしまうなどの問題が生じ、全体として調整作業が非常に難しくて、ドットヘッドとプラテンヘッドとの間隔の精度を出し難いという不具合がある。
【発明の開示】
【発明が解決しようとする課題】
【０００６】
本発明は以上の実情に鑑みて開発したものであって、目的とするところは、プリント用紙が通過するドットヘッドとプラテンヘッドとの間の隙間の調整が容易に行なえる印字装置を提供することにある。
【課題を解決するための手段】
【０００７】
以上の目的を達成するために、請求項１に記載の発明は、印字ワイヤを備えたドットヘッドと、このドットヘッドと所定間隔開けて対向状に配置されるプラテンヘッドと、印字ワイヤを動作させる作動装置が備えられ、プリント処理装置で作成されるプリントの裏面に各種情報を印字するための印字装置において、ドットヘッドを内包した印字ユニットはプリント処理装置の機体側に固定される一方、プラテンヘッドは、位置調整機構を介して前記機体側に取り付けられて、位置調整機構によるプラテンヘッドの位置調整により、プラテンヘッドとドットヘッドとの間の隙間を調整するようにしていることを特徴とするものである。
【０００８】
請求項２に記載の発明は、位置調整機構が、プラテンヘッドを保持するためのプラテンヘッドホルダーと、プラテンヘッドホルダーをドットヘッドに対して螺進または螺退させるための操作体とから構成され、操作体の回転操作によるプラテンヘッドホルダーのドットヘッドに対する螺進または螺退により、プラテンヘッドとドットヘッドとの間の隙間を調整するようにしていることを特徴とするものである。
【０００９】
また請求項３に記載の発明は、操作体の弛みを阻止するための弛み規制体が備えられていることを特徴とするものである。
【発明の効果】
【００１０】
請求項１に記載の発明によれば、印字ユニットの機体に対する取り付け姿勢を調整しなくても、位置調整機構によりプラテンヘッドの位置を調整するだけで、プリント用紙が通過するドットヘッドとプラテンヘッドとの間の隙間の調整が簡単に行なうことが出来るに至ったのである。
【００１１】
また請求項２に記載の発明によれば、操作体の回転操作だけで、ドットヘッドとプラテンヘッドとの間の隙間の調整が行なえるので、前述の隙間の調整がより一層簡単に行なうことが出来るに至ったのである。
【００１２】
また請求項３に記載の発明によれば、弛み規制体により、調整されたプラテンヘッドとドットヘッドとの間の隙間が不用意に狂うことがないのである。
【発明を実施するための最良の形態】
【００１３】
図１において符号１で示すインクジェット式のプリント処理装置は、ボックス状のハウジング１０内に、インクジェット式のプリントユニット２と、プリントユニット２でプリント処理を終えたプリント用紙Ｐを切断するためのカッターユニット３と、プリントユニット２でプリント処理されたプリント用紙Ｐをカッターユニット３に向けて搬送するための搬送ユニット４と、カッターユニット３によりカットされたプリント用紙Ｐをハウジング１０の上面に設けたトレイ１１上に搬出するための搬出ローラー対からなる搬出ユニット５等が搭載されている。
【００１４】
インクジェット式のプリントユニット２は、キャリッジ２１に搭載されて、主走査方向（プリント用紙Ｐの搬送方向に対して直交する方向）に往復移動するプリントヘッド２２と、吸着ファン２３と、搬送台２４とが備えられ、プリントヘッド２２が、キャリッジ２１を介して主走査方向に往復動しながら、搬送されるプリント用紙Ｐに、吐出ノズルを介してインクをそれぞれ吐出して所望の画像をプリントするようにしている。
【００１５】
吸着ファン２３は、プリント用紙Ｐの搬送経路を挟んでプリントヘッド２２と対向する位置に配置されて、吸着ファン２３の駆動により、搬送台２４上のプリント用紙Ｐを搬送台２４上に吸着させるようにしている。
【００１６】
カッターユニット３は、可動刃３１と、プリント用紙Ｐを挟んで可動刃３１と対向するように配置された固定刃３２とが備えられている。
【００１７】
搬送ユニット４は、ボックス状のケース４０に複数の搬送ローラ対４１が組み込まれ、これら搬送ローラ対４１を介してプリント用紙Ｐを搬送するようにしているのであって、図に示す実施形態では、この搬送ユニット４に本発明にかかる印字装置６が搭載されている。
【００１８】
図に示す実施形態の印字装置６は、所謂ドットインパクト式のものであって、基本的には、印字ワイヤを備えたドットヘッド６１と、このドットヘッド６１と所定間隔開けて対向状に配置されるプラテンヘッド６２と、リボンが装填されたリボンカセット６３と、ドットヘッド６１の印字ワイヤを動作させるための作動装置６４が備えられている。
【００１９】
そして、ドットヘッド６１、リボンカセット６３、作動装置６４は、ケース６５内に組み込まれて、印字ユニット６６が構成され、この印字ユニット６６はペーパ搬送ユニット４の下面側に設けられたホルダー部材４２にネジ部材６７を介して固定されている。
【００２０】
一方、印字ユニット６６のドットヘッド６１に対して所定間隔開けて対向状に配置されるプラテンヘッド６２は、位置調整機構７を介して搬送ユニット４に取り付け、位置調整機構７によるプラテンヘッド６２の位置調整により、プラテンヘッド６２とドットヘッド６１との間の隙間を調整するようにしている。
【００２１】
位置調整機構７は、内周に雌ネジ７１ａが周設された円筒状保持筒７１ｂを備え、搬送ユニット４のケース４０にボルト止めされたベース部材７１と、プラテンヘッド６２を保持するためのリング状のプラテンヘッドホルダー７２と、プラテンヘッドホルダー７２をドットヘッド６１に対して螺進または螺退させるための操作体７３と、操作体７３の弛みを阻止するための弛み規制体７４とが備えられている。
【００２２】
プラテンヘッドホルダー７２は、その外周に雄ネジ７２ａが周設され、内周の下端部には、プラテンヘッド６２の外周に設けたフランジ６２ａが係合する段部７２ｂが設けられており、また上端縁には、後記する突部７３ｃが嵌合可能な複数の嵌合溝７２ｃが設けられている。
【００２３】
操作体７３は、ロッド状の操作軸部７３ａと、この操作軸部７３ａの下端部に設けたぱね受け部７３ｂと、このばね受け部７３ｂの外周から外方に突出する複数の突部７３ｃとから構成され、操作軸部７３ａの外周上部には、雄ネジ７３ｄが周設され、操作軸部７３ａの上端には、工具のマイナスドライバーが嵌合可能な嵌合溝７３ｅが設けられている。
【００２４】
弛み規制体７４は、外周が六角形状のナット部７４ａと、このナット部７４ａの外径よりも一回り大径としたリング部７４ｂとから構成され、ナット部７４ａの内周には、操作体の雄ネジ７３ａに螺合可能な雌ネジ７４ｃが周設され、リング部７４ｂの外周には、ベース部材７１の雌ネジ７１ａに螺合可能な雄ネジ７４ｄが周設されている。
【００２５】
以上の位置調整機構７は、ペーパー搬送ユニット４にボルト止めされたベース部材７１の円筒状保持筒７１ｂ内に、プラテンヘッドホルダー７２を螺合して、このプラテンヘッドホルダー７２内にプラテンヘッド６２を装填し、このプラテンヘッド６２上にコイルスプリング７５をセットした上で、操作体７３を円筒状保持筒７１ｂ内に螺合して、操作体７３の突部７３ｃをプラテンヘッドホルダー７２の嵌合溝７２ｃに嵌合させるとともに、操作軸部７３ａの外周にコイルスプリング７６を嵌め、続いて円筒状保持筒７１ｂ内に弛み規制体７４を螺合している。
【００２６】
次に以上の印字装置６により、ドットヘッド６１とプラテンヘッド６２との間の隙間Ｓを調整するには、マイナスドライバーの先端を操作体７３の嵌合溝７３ｄに嵌合させて、マイナスドライバーを介して操作体７３を螺締若しくは螺緩させるのであり、これに伴い、プラテンヘッドホルダー７２もベース部材７１に対して螺締若しくは螺緩して、コイルスプリング７５のばね力によってプラテンヘッドホルダー７２に押し付けられているプラテンヘッド６２が、ドットヘッド６１に対して近接若しくは離間して、ドットヘッド６１とプラテンヘッド６２との間の隙間Ｓを調整することが出来るのである。
【００２７】
そして、ドットヘッド６１とプラテンヘッド６２との間の隙間Ｓを調整し終えたならば、図５に示すように、弛み規制体７４の下端が操作体７３のばね受け部７３の上面に当接するまで弛み規制体７４を螺締するのであって、これにより、操作体７３及びプラテンヘッドホルダー７２が不用意に緩むようなことがないので、調整したドットヘッド６１とプラテンヘッド６２との間の隙間Ｓが不用意に狂うことはないのである。
【００２８】
以上の実施形態では、インクジェット式のプリント処理装置に本発明の印字装置６を搭載したが、これに限定されるものではなく、例えばレーザー式のプリント処理装置に本発明の印字装置６を搭載してもよい。
【図面の簡単な説明】
【００２９】
【図１】本発明の印字装置が搭載されたインクジェット式プリント処理装置の概略斜視図。
【図２】本発明の印字装置が搭載されたインクジェット式プリント処理装置の概略構成図。
【図３】本発明の印字装置が組み込まれた搬送ユニットの概略斜視図。
【図４】同、要部の断面図。
【図５】同、要部の拡大断面図。
【図６】位置調整機構を構成するプラテンヘッドホルダーに操作体をセットした状態を示す平面図。
【符号の説明】
【００３０】
１        プリント処理装置
４        搬送ユニット
６        印字装置
６１      ドットヘッド
６２      プラテンヘッド
７        位置調整機能
７２      プラテンヘッドホルダー
７３      操作体
７４      弛み規制体
Ｓ        隙間
【図１】
2006056050.tif 000003
【図２】
2006056050.tif 000004
【図３】
2006056050.tif 000005
【図４】
2006056050.tif 000006
【図５】
2006056050.tif 000007
【図６】
2006056050.tif 000008